(57)【特許請求の範囲】
【請求項１】
固定金型と可動金型との間に形成されるキャビティに樹脂を充填することにより形成される車両用樹脂成形品であって、
板状の縁部を有する本体部と、前記縁部の表面から前記縁部の端面が向く方向と直交する方向に突出する被切断部と、当該被切断部を介して前記本体部の前記縁部と接続される通電用リブとを備え、
前記被切断部は、前記縁部の表面に沿い、かつ前記縁部の前記端面が向く方向の厚みが、前記本体部の前記縁部の厚みよりも薄肉化された部位よりなり、
前記被切断部は、前記縁部の表面に沿い、かつ前記縁部の前記端面が向く方向に凹む溝部を備える
ことを特徴とする車両用樹脂成形品。
【請求項２】
前記本体部の前記縁部は、前記縁部の裏面と前記縁部の端面とを接続する角部に設けられる段部を備えることを特徴とする請求項１記載の車両用樹脂成形品。
【発明の詳細な説明】
【技術分野】
【０００１】
本発明は、車両用樹脂成形品に関するものである。
【背景技術】
【０００２】
従来から、車両に対しては、ラジエータグリルやバックドアフィニッシャ等の樹脂成形品（車両用樹脂成形品）が取り付けられている。これらの樹脂成形品の表面には、外観デザインの向上のため、必要に応じてめっき層が形成される。このようなめっき層は、複数層に分割されており、例えば樹脂層上に直接形成される下地層を除いては、電気めっき法によって形成される。
【０００３】
このような電気めっき法によるめっき処理を行いやすくするため、例えば特許文献１に示すように車両用樹脂成形品には、通電を行うためのリブ（通電用リブ）が形成されている。この通電用リブは、電気めっき処理を行う場合には、電極との接点として用いられ、めっき処理後は切断され、樹脂成形品の本体から取り除かれる。
【先行技術文献】
【特許文献】
【０００４】
【特許文献１】特開２０１３−２０３１０２号公報
【発明の概要】
【発明が解決しようとする課題】
【０００５】
ところで、特許文献１では、通電用リブの本体部からの切り離しを容易に行うため、通電用リブの根元部分に薄肉化された部位（被切断部）を形成している。このような部位を設けることにより、作業者が通電用リブを容易に本体部に対して折り曲げることができ、通電用リブを容易に本体部から切り離すことが可能となる。
【０００６】
一方で、車両用樹脂成形品は、一般的に射出成形によって形成される。このため、上述のように通電用リブの根元部を薄肉化するためには、射出成形に用いる金型にも、当然に対応する部位を形成する必要がある。ところが、特許文献１においては、通電用リブの根元部が、可動金型の移動方向と直交する方向に凹んでいることから、当該凹部がアンダーカット部となっている。このため、通電用リブの根元部の薄肉化を行うために、金型に対してスライドコアを設ける必要があり、金型の構造が複雑化する。
【０００７】
また、均一なめっき層を形成するため、通常は、上述のような通電用リブが本体部に対して多数接続されている。このため、通電用リブの数と同じだけ、スライド金型を設ける必要があり、金型がより複雑化するという問題が生じる。
【０００８】
本発明は、上述する問題点に鑑みてなされたもので、通電用リブを本体部から容易に切り離し可能とする構造を、射出成形時にスライドコアを用いることなく形成可能な車両用樹脂成形品を提供することを目的とする。
【課題を解決するための手段】
【０００９】
本発明は、上記課題を解決するための手段として、以下の構成を採用する。
【００１０】
第１の発明は、固定金型と可動金型との間に形成されるキャビティに樹脂を充填することにより形成される車両用樹脂成形品であって、板状の縁部を有する本体部と、上記縁部の表面から上記縁部の端面が向く方向と直交する方向に突出する被切断部と、当該被切断部を介して上記本体部の上記縁部と接続される通電用リブとを備え、上記被切断部が、上記可動金型の移動方向の厚みが、上記本体部の上記縁部の厚みよりも薄肉化された部位よりなるという構成を採用する。
【００１１】
第２の発明は、上記第１の発明において、上記被切断部が、上記可動金型の移動方向に凹む溝部を備えるという構成を採用する。
【００１２】
第３の発明は、上記第１または第２の発明において、上記本体部の上記縁部が、上記縁部の裏面と上記縁部の端面とを接続する角部に設けられる段部を備えるという構成を採用する。
【発明の効果】
【００１３】
本発明によれば、本体部の縁部に対して通電用リブが被切断部を介して接続されている。また、被切断部が本体部の縁部よりも薄肉化されている。このため、通電用リブを本体部に対して折り曲げることによって容易に通電用リブを本体部から切り離すことができる。また、本発明によれば、被切断部は、可動金型の移動方向に薄肉化され、本体部の縁部の表面から縁部の端面が向く方向と直交する方向に突出するように形成されている。つまり、例えば縁部の端面が下方に向いている場合には、被切断部が縁部の表面から水平方向に突出するように形成されている。このため、本体部の縁部の表面に沿って可動金型を移動させることにより、可動金型の移動方向と直交する方向に本体部の縁部から突出した位置に被切断部を配置することができる。このため、本発明によれば、被切断部を固定金型と可動金型との間（例えばパーティング面）で形成することができ、スライドコアを用いることなく被切断部を形成することができる。よって、本発明によれば、通電用リブを本体部から容易に切り離し可能とする構造を、射出成形時にスライドコアを用いることなく形成可能な車両用樹脂成形品となる。
【図面の簡単な説明】
【００１４】
【図１】本発明の一実施形態における車両用樹脂成形品の概略構成を示す正面図である。
【図２】図１のＡ−Ａ線断面図である。
【図３】車体に取り付けられる前における本発明の一実施形態の車両用樹脂成形品の概略構成を示す断面図である。
【図４】車体に取り付けられる前における本発明の一実施形態の車両用樹脂成形品が備える通電用リブを含む拡大斜視図である。
【図５】本発明の一実施形態の車両用樹脂成形品を形成するための金型の一部を示す断面図である。
【発明を実施するための形態】
【００１５】
以下、図面を参照して、本発明に係る車両用樹脂成形品の一実施形態について説明する。なお、以下の図面において、各部材を認識可能な大きさとするために、各部材の縮尺を適宜変更している。
【００１６】
図１は、車体取付時における本実施形態の車両用樹脂成形品１の概略構成を示す正面図である。また、図２は、図１のＡ−Ａ線断面図である。本実施形態の車両用樹脂成形品１は、樹脂層の上に複数層のめっき層が形成された部品であり、例えば、車両のフロント、リヤあるいはサイドにおいて車体１００に対して取り付けられる外装部品である。なお、めっき層は、樹脂層に対して非常に薄い金属層である。このため、断面図（図２、後述の図３及び図５）では、樹脂層とめっき層とに分離して図示していない。このようなめっき層は、複数層のめっき層が積層されてなる多層めっき層であり、樹脂層上に直接形成される下地層、下地層上に形成されるニッケルめっき層、ニッケルめっき層上に形成されるクロムめっき層等からなる。
【００１７】
本実施形態の車両用樹脂成形品１は、図２に示すように、断面が略Ｕ字状とされた湾曲した板状の部品であり、Ｕ字型の端部に相当する板状の縁部２が車体１００に被覆されるようにして車体１００に対して取り付けられている。つまり、本実施形態において、車両用樹脂成形品１の縁部２は、車両用樹脂成形品１が車体１００に対して取り付けられた後に外部から視認され難い部位とされている。したがって、後述の被切断部２０の一部が縁部２に残存していたとしても、この残存した部分が外観に影響を与えることを防止することができる。
【００１８】
図３は、車体１００に取り付けられる前における本実施形態の車両用樹脂成形品１の概略構成を示す断面図である。この図に示すように、本実施形態の車両用樹脂成形品１は、図１及び図２に示す車体取付時における車両用樹脂成形品１に相当する本体部１０と、被切断部２０を介して本体部１０の縁部２に接続される通電用リブ３０とを備えている。このような通電用リブ３０は、車両用樹脂成形品１の長手方向に沿って複数箇所設けられている。
【００１９】
図３に示すように、被切断部２０は、縁部２の表面２ａ（本体部１０の外側面）から、縁部２の端面２ｂが向かう方向と直交する方向に突出して設けられている。つまり、図３においては、縁部２の端面２ｂが紙面右側に向けられており、被切断部２０は、紙面上側に向く縁部２の表面２ａから紙面上側に突出して設けられている。また、図４は、通電用リブ３０を含む斜視図である。この図に示すように、被切断部２０は、通電用リブ３０の車両用樹脂成形品１の長手方向（本体部長手方向）における長さが、通電用リブ３０の同方向の幅よりも短く設定されている。
【００２０】
この被切断部２０は、縁部２の表面２ａに沿いかつ端面２ｂが向く方向において、薄肉化された部位からなる。このような被切断部２０は、厚みＤ１が縁部２の厚みＤ２よりも薄くなるように薄肉化されている。なお、本実施形態の車両用樹脂成形品１は、縁部２の表面２ａに沿いかつ端面２ｂが向く方向が成形時の可動金型Ｋ２（図５参照）の移動方向（可動金型移動方向）とされている。したがって、本実施形態の車両用樹脂成形品１において、被切断部２０は、可動金型移動方向の厚みＤ１が、本体部１０の縁部２の厚みＤ２よりも薄肉化されている。この被切断部２０は、破断されることによって本体部１０と通電用リブ３０とを分離するための部位であり、薄肉化されることによって通電用リブ３０を本体部１０に対して折り曲げることで容易に破断可能とされている。  
【００２１】
また、被切断部２０は、図３に示すように、溝部２１を有している。この溝部２１は、金型移動方向に凹むように形成されており、図４の本体部長手方向において被切断部２０の全域に亘って形成されている。このような溝部２１を形成することによって、めっき層に屈曲部が多数形成され、縁部２の表面２ａに形成されためっき層と通電用リブ３０の表面のめっき層とが切断されやすくなる。このため、通電用リブ３０を本体部１０に対して折り曲げるときに、本体部１０の表面に形成されためっき層が通電用リブ３０の表面のめっき層に引きずられて剥離等することを防止することができる。
【００２２】
通電用リブ３０は、被切断部２０を介して本体部１０の縁部２に接続されたプレート状の部位である。この通電用リブ３０は、車両用樹脂成形品１に対してめっき層を電気めっき法によって形成する場合に、電極との接点とされる。この通電用リブ３０は、本実施形態の車両用樹脂成形品１が車体１００に対して取り付けられる場合には、本体部１０から切り離される。
【００２３】
また、図３に示すように、本実施形態の車両用樹脂成形品１において、本体部１０の縁部２は、縁部２の裏面２ｃと縁部２の端面２ｂとを接続する角部に設けられる段部２ｄを有している。この段部２ｄによって、めっき層に屈曲部が多数形成され、縁部２の裏面２ｃに形成されためっき層と通電用リブ３０の表面のめっき層とが切断されやすくなる。このため、通電用リブ３０を本体部１０に対して折り曲げるときに、本体部１０の表面に形成されためっき層が通電用リブ３０の表面のめっき層に引きずられて剥離等することを防止することができる。
【００２４】
このような本実施形態の車両用樹脂成形品１は、図５に示すような金型Ｋを用いた射出成形によって形成される。金型Ｋの内部には、本実施形態の車両用樹脂成形品１の形状のキャビティが形成されており、このキャビティに樹脂を充填することによって車両用樹脂成形品１が形成される。このような金型Ｋは、固定金型Ｋ１と可動金型Ｋ２とを備えている。固定金型Ｋ１は、固定状態で使用される金型であり、車両用樹脂成形品１の本体部１０の外側面等を形作る。このような固定金型Ｋ１は、図５に示すように、被切断部２０の溝部２１を形成するための突出部Ｋ１１を有している。また、可動金型Ｋ２は、固定金型Ｋ１に対して移動される金型であり、本体部１０の内側面や通電用リブ３０の表面等を形作る。このような可動金型Ｋ２は、段部２ｄを形成するための突出部Ｋ２１を有している。
【００２５】
また、本実施形態の車両用樹脂成形品１を形成する金型Ｋにおいて、可動金型Ｋ２は、図５の矢印方向、すなわち本体部１０の端面２ｂが向く方向とその反対方向とに移動可能とされている。本実施形態の車両用樹脂成形品１を形成する金型Ｋでは、このような可動金型Ｋ２と固定金型Ｋ１との間に被切断部２０が形成されるように金型Ｋのパーティング面ＰＬが設定されている。
【００２６】
本実施形態の車両用樹脂成形品１は、上述のような金型Ｋが設置された射出成形機（不図示）によって樹脂材料を成形することによって形作られ、さらに表面にめっき層が形成されることによって完成する。そして、例えば車体に取り付けるときに通電用リブ３０が本体部１０から切り離される。
【００２７】
以上のような本実施形態の車両用樹脂成形品１によれば、本体部１０の縁部２に対して通電用リブ３０が被切断部２０を介して接続されている。また、被切断部２０が本体部１０の縁部２よりも薄肉化されている。このため、通電用リブ３０を本体部１０に対して折り曲げることによって容易に通電用リブ３０を本体部１０から切り離すことができる。また、本実施形態の車両用樹脂成形品１によれば、被切断部２０は、可動金型Ｋ２の移動方向に薄肉化され、本体部１０の縁部２の表面２ａから縁部２の端面２ｂが向く方向と直交する方向に突出するように形成されている。このため、本体部１０の縁部２の表面２ａに沿う方向に可動金型Ｋ２を移動させることにより、可動金型Ｋ２の移動方向と直交する方向に本体部１０の縁部２から突出した位置に被切断部２０を配置することができる。このため、本実施形態の車両用樹脂成形品１によれば、被切断部２０を固定金型Ｋ１と可動金型Ｋ２との間で形成することができ、スライドコアを用いることなく被切断部２０を形成することができる。よって、本発明の車両用樹脂成形品１によれば、通電用リブ３０を本体部１０から容易に切り離し可能とする構造を、射出成形時にスライドコアを用いることなく形成することができる。
【００２８】
また、本実施形態の車両用樹脂成形品１においては、被切断部２０は、可動金型Ｋ２の移動方向に凹む溝部２１を備える。このため、本実施形態の車両用樹脂成形品１では、通電用リブ３０を本体部１０に対して折り曲げるときに、本体部１０の表面に形成されためっき層が通電用リブ３０の表面のめっき層に引きずられて剥離等することを防止することができ、本体部１０の表面に形成されためっき層が損傷することを防止することができる。
【００２９】
また、本実施形態の車両用樹脂成形品１においては、本体部１０の縁部２は、縁部２の裏面２ｃと縁部２の端面２ｂとを接続する角部に設けられる段部２ｄを備える。このため、通電用リブ３０を本体部１０に対して折り曲げるときに、縁部２の裏面においても、本体部１０の表面に形成されためっき層が通電用リブ３０の表面のめっき層に引きずられて剥離等することを防止することができ、本体部１０の表面に形成されためっき層が損傷することを防止することができる。
【００３０】
また、本実施形態の車両用樹脂成形品１は、車体１００に取り付けられたときに外部から視認し難い縁部２に対して被切断部２０が形成されると共に通電用リブ３０が接続されている。このため、通電用リブ３０を切り離した後に、被切断部２０の一部が縁部２に残存していたとしても、この残存した部位が外観に影響を与えることを防止することができる。
【００３１】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００３２】
例えば、上記実施形態の車両用樹脂成形品１の形状は一例であり、本発明は当該形状に限定されるものではない。例えば、本発明をラジエータグリルに適用することも可能である。
【００３３】
また、上記実施形態においては、本体部１０に２つある縁部２の一方のみに通電用リブ３０を接続する構成について説明した。しかしながら、本発明はこれに限定されるものではなく、２つの縁部２の各々に対して通電用リブ３０を、被切断部２０を介して接続する構成を採用することも可能である。
【符号の説明】
【００３４】
１……車両用樹脂成形品、２……縁部、２ａ……表面、２ｂ……端面、２ｃ……裏面、２ｄ……段部、１０……本体部、２０……被切断部、２１……溝部、３０……通電用リブ、Ｋ……金型、Ｋ１……固定金型、Ｋ２……可動金型
【図１】
0006703808.tif 000002
【図２】
0006703808.tif 000003
【図３】
0006703808.tif 000004
【図４】
0006703808.tif 000005
【図５】
0006703808.tif 000006